(57)【要約】【課題】簡易な構成で利用者の利便性の低下を抑制しつつ結露を除去する技術を提供する。【解決手段】印刷媒体に画像を形成する画像形成装置は、光学系が搭載された走行体を移動させることにより走査する走査機構を有する画像読取部と、印刷媒体上に転写したトナーを加熱し、加熱されたトナーを印刷媒体に対して加圧することによって定着する定着部と、画像形成装置の利用開始予定時間を設定する時間設定部と、画像読取部と、定着部と、時間設定部とを制御する制御部とを備える。制御部は、設定された利用開始予定時間よりも予め設定されている所定の時間だけ前において、画像読取部を起動させて光学系に結露が発生しているか否かを検知し、結露が発生しているとの検知に応じて定着部を加熱させ、利用開始予定時間よりも前に加熱を停止させる。【選択図】図１
2017161611.tif 000002
【特許請求の範囲】
【請求項１】
印刷媒体に画像を形成する画像形成装置であって、
光学系が搭載された走行体を移動させることにより走査する走査機構を有する画像読取部と、
前記印刷媒体上に転写したトナーを加熱し、前記加熱されたトナーを印刷媒体に対して加圧することによって定着する定着部と、
前記画像形成装置の利用開始予定時間を設定する時間設定部と、
前記画像読取部と、前記定着部と、前記時間設定部とを制御する制御部と、
を備え、
前記制御部は、前記設定された利用開始予定時間よりも予め設定されている所定の時間だけ前において、前記画像読取部を起動させて前記光学系に結露が発生しているか否かを検知し、前記結露が発生しているとの検知に応じて前記定着部を加熱させ、前記利用開始予定時間よりも前に前記加熱を停止させる画像形成装置。
【請求項２】
請求項１に記載の画像形成装置であって、
前記定着部は、一対のローラを有し、
前記制御部は、前記定着部の定着工程における前記一対のローラの回転速度よりも低速の回転速度で前記一対のローラを回転させて結露を除去する画像形成装置。
【請求項３】
請求項２に記載の画像形成装置であって、
前記制御部は、前記利用開始予定時間よりも前に前記一対のローラの回転を停止させる画像形成装置。
【請求項４】
請求項１乃至３のいずれか１項に記載の画像形成装置であって、
前記制御部は、前記定着部による定着工程における定着温度の範囲の中心よりも高い温度を目標値として加熱する画像形成装置。
【請求項５】
請求項１乃至４のいずれか１項に記載の画像形成装置であって、さらに、
前記画像形成装置の環境温度を計測する環境温度センサを備え、
前記制御部は、前記起動前のスリープ状態における前記画像形成装置の温度を前記環境温度センサに計測させ、前記スリープ状態における最低温度と、前記起動時の温度との温度差が予め設定されている所定の温度差以上であるときに、前記光学系に結露が発生しているか否かを検知する画像形成装置。
【請求項６】
請求項１乃至５のいずれか１項に記載の画像形成装置であって、さらに、
走査方向に渡って線が表示されている校正用の白色板を備え、
前記制御部は、前記白色板を前記画像読取部に読み取らせ、前記読み取られた線の幅が予め設定されている所定の幅よりも広いときには前記光学系に結露が発生していると判断する画像形成装置。
【請求項７】
請求項１乃至６のいずれか１項に記載の画像形成装置であって、
前記制御部は、前記定着部を加熱させる際に、前記画像読取部の光学系の一部としての走行体を移動させて前記走行体を前記定着部に近づける画像形成装置。
【請求項８】
請求項７に記載の画像形成装置であって、
前記制御部は、前記走行体を前記定着部に近づけるための移動を、前記画像読取部による画像の読み取り時の走査の速度よりも遅い速度で行う画像形成装置。
【請求項９】
印刷媒体に画像を形成する画像形成装置の結露を軽減させる方法であって、
光学系が搭載された走行体を移動させることにより走査する走査機構を有する画像読取工程と、
前記印刷媒体上に転写したトナーを加熱し、前記加熱されたトナーを印刷媒体に対して加圧することによって定着する定着工程と、
前記画像形成装置の利用開始予定時間を設定する時間設定工程と、
前記画像読取工程と、前記定着工程と、前記時間設定工程とを制御する制御工程と、
を備え、
前記制御工程は、前記設定された利用開始予定時間よりも予め設定されている所定の時間だけ前において、前記画像読取工程を起動させて前記光学系に結露が発生しているか否かを検知し、前記結露が発生しているとの検知に応じて前記定着工程を実行させて加熱し、前記利用開始予定時間よりも前に前記加熱を停止させる結露軽減方法。
【請求項１０】
印刷媒体に画像を形成する画像形成装置を制御するための制御プログラムであって、
前記画像形成装置は、
光学系が搭載された走行体を移動させることにより走査する走査機構を有する画像読取部と、
前記印刷媒体上に転写したトナーを加熱し、前記加熱されたトナーを印刷媒体に対して加圧することによって定着する定着部と、
前記画像形成装置の利用開始予定時間を設定する時間設定部と、
を備え、
前記制御プログラムは、前記画像形成装置を制御して、前記設定された利用開始予定時間よりも予め設定されている所定の時間だけ前において、前記画像読取部を起動させて前記光学系に結露が発生しているか否かを検知し、前記結露が発生しているとの検知に応じて前記定着部を加熱させ、前記利用開始予定時間よりも前に前記加熱を停止させる制御プログラム。
【発明の詳細な説明】
【技術分野】
【０００１】
本発明は、画像形成装置、特に光学系の結露を軽減する技術に関する。
【背景技術】
【０００２】
典型的な画像形成装置には、光源と、光学系と、イメージセンサとを備える画像読取装置が備えられている。画像読取装置では、使用していない夜中に鏡やレンズが冷えてしまう。これを翌朝使うときに、電源を入れると水分を含んだ温かい空気が機内に流入し、この鏡やレンズに触れることで結露が発生することがある。光学系等の表面で結露が発生すると、水滴の影響によって画像が劣化することになる。このような問題に対して、特許文献１，２は、結露の検出に応じて画像形成装置の使用を制限した状態で加熱処理を行い、結露除去の判断に応じて使用制限を解除する技術を提案している。
【先行技術文献】
【特許文献】
【０００３】
【特許文献１】特開平１１−１２７３０４号公報
【特許文献２】特開２０１３−１２９００号公報
【発明の概要】
【発明が解決しようとする課題】
【０００４】
しかし、これらの先行技術では、結露が除去されるまでは一定の待ち時間を要するものであり、この待ち時間において、画像形成装置の使用が制限されるので、利用者にとって不便であった。
【０００５】
本発明は、このような状況に鑑みてなされたものであり、簡易な構成で利用者の利便性を損なうことなく、効率的に結露を除去する技術を提供することを目的とする。
【課題を解決するための手段】
【０００６】
本発明は、印刷媒体に画像を形成する画像形成装置を提供する。前記画像形成装置は、光学系が搭載された走行体を移動させることにより走査する走査機構を有する画像読取部と、前記印刷媒体上に転写したトナーを加熱し、前記加熱されたトナーを印刷媒体に対して加圧することによって定着する定着部と、前記画像形成装置の利用開始予定時間を設定する時間設定部と、前記画像読取部と、前記定着部と、前記時間設定部とを制御する制御部とを備え、前記制御部は、前記設定された利用開始予定時間よりも予め設定されている所定の時間だけ前において、前記画像読取部を起動させて前記光学系に結露が発生しているか否かを検知し、前記結露が発生しているとの検知に応じて前記定着部を加熱させ、前記利用開始予定時間よりも前に前記加熱を停止させる。
【０００７】
本発明は、印刷媒体に画像を形成する画像形成装置の結露を軽減させる方法を提供する。前記結露軽減方法は、光学系が搭載された走行体を移動させることにより走査する走査機構を有する画像読取工程と、前記印刷媒体上に転写したトナーを加熱し、前記加熱されたトナーを印刷媒体に対して加圧することによって定着する定着工程と、前記画像形成装置の利用開始予定時間を設定する時間設定工程と、前記画像読取工程と、前記定着工程と、前記時間設定工程とを制御する制御工程とを備え、前記制御工程は、前記設定された利用開始予定時間よりも予め設定されている所定の時間だけ前において、前記画像読取工程を起動させて前記光学系に結露が発生しているか否かを検知し、前記結露が発生しているとの検知に応じて前記定着工程を実行させて加熱し、前記利用開始予定時間よりも前に前記加熱を停止させる。
【０００８】
本発明は、印刷媒体に画像を形成する画像形成装置を制御するための制御プログラムを提供する。前記画像形成装置は、光学系が搭載された走行体を移動させることにより走査する走査機構を有する画像読取部と、前記印刷媒体上に転写したトナーを加熱し、前記加熱されたトナーを印刷媒体に対して加圧することによって定着する定着部と、前記画像形成装置の利用開始予定時間を設定する時間設定部とを備え、前記制御プログラムは、前記画像形成装置を制御して、前記設定された利用開始予定時間よりも予め設定されている所定の時間だけ前において、前記画像読取部を起動させて前記光学系に結露が発生しているか否かを検知し、前記結露が発生しているとの検知に応じて前記定着部を加熱させ、前記利用開始予定時間よりも前に前記加熱を停止させる。
【発明の効果】
【０００９】
本発明によれば、簡易な構成で利用者の利便性の低下を抑制しつつ結露を除去する技術を提供することができる。
【図面の簡単な説明】
【００１０】
【図１】本発明の一実施形態に係る画像形成装置１０の全体構成を示す機能ブロック図である。
【図２】一実施形態に係る画像読取部１００の概略構成を示す説明図である。
【図３】一実施形態に係る始業前結露軽減処理の内容を示すフローチャートである。
【図４】一実施形態に係る画像読取部１００の結露除去時の作動状態を示す説明図である。
【発明を実施するための形態】
【００１１】
以下、本発明を実施するための形態（以下、「実施形態」という）を、図面を参照して説明する。
【００１２】
図１は、本発明の一実施形態に係る画像形成装置１０の機能構成を示すブロックダイアグラムである。画像形成装置１０は、画像読取部１００と、画像形成部２００と、定着部３００と、誘導加熱部４００と、記憶部５００と、制御部６００とを備えている。画像読取部１００は、詳細については後述するが、原稿から画像を読み取って画像データを生成する。画像形成部２００は、印刷設定に従って画像データを処理する画像処理部２１０と、処理された画像データに基づいて印刷媒体上にトナーを転写するトナー転写部２２０とを備えている。
【００１３】
定着部３００は、印刷媒体上に転写されたトナーを高温で定着させる定着ローラ３１０と、定着ローラ３１０の表面温度を計測する定着温度センサ３２０と、画像形成装置１０内の環境温度を計測する環境温度センサ３３０とを備える。
【００１４】
誘導加熱部４００は、定着ローラ３１０を加熱するＩＨ（Ｉｎｄｕｃｔｉｏｎ  Ｈｅａｔｉｎｇ）方式の誘導ヒータ４１０と、誘導ヒータ４１０を制御するヒータ制御回路４２０とを備えている。誘導ヒータ４１０はＩＨ方式を採用し、定着ローラ３１０を直接加熱するので、ウォームアップ時間を顕著に短縮化することができる。ヒータ制御回路４２０は、制御部６００からの指令に応じて誘導ヒータ４１０への供給電力を調整する。
【００１５】
制御部６００は、ＲＡＭやＲＯＭ等の主記憶手段、及びＭＰＵ（Ｍｉｃｒｏ  Ｐｒｏｃｅｓｓｉｎｇ  Ｕｎｉｔ）やＣＰＵ（Ｃｅｎｔｒａｌ  Ｐｒｏｃｅｓｓｉｎｇ  Ｕｎｉｔ）等の制御手段を備えている。また、制御部６００は、各種Ｉ／Ｏ、ＵＳＢ（ユニバーサル・シリアル・バス）、バス、その他ハードウェア等のインターフェイスに関連するコントローラ機能を備え、画像形成装置１０全体を制御する。
【００１６】
制御部６００は、さらに、リアルタイムクロック６１０（Ｒｅａｌ−ｔｉｍｅ  ｃｌｏｃｋ：ＲＴＣ）を備えている。リアルタイムクロックは、制御手段が有する時計であり、制御手段の電源が切られていても現在時刻を刻み続けることができる。なお、時間の計測は、たとえばネットワークを利用して外部から時間を表す情報を取得することによって実現してもよい。
【００１７】
記憶部５００は、非一時的な記録媒体であるハードディスクドライブやフラッシュメモリー等からなる記憶装置で、制御部６００が実行する処理の制御プログラムやデータを記憶する。
【００１８】
図２は、一実施形態に係る画像読取部１００の構成を示す概略構成図である。画像読取部１００は、原稿自動送り装置（ＡＤＦ）１６０と原稿台１７０とを有し、原稿から画像を読み取ってデジタルデータである画像データを生成する。画像読取部１００は、光源部１１０と、第１反射鏡１３１と、第１キャリッジ１２０と、第２反射鏡１３５と、第３反射鏡１３６と、第２キャリッジ１３７と、集光レンズ１３８と、イメージセンサ１４１とを備えている。第１反射鏡１３１は、原稿からの反射光Ｌを第２反射鏡１３５の方向に反射する。第２反射鏡１３５は、反射光Ｌを第３反射鏡１３６の方向に反射する。第３反射鏡１３６は、反射光Ｌを集光レンズ１３８の方向に反射する。集光レンズ１３８は、反射光Ｌをイメージセンサ１４１の受光面に結像する。
【００１９】
第１キャリッジ１２０は、光源部１１０と第１反射鏡１３１とを搭載し、副走査方向Ｓに往復動する。第２キャリッジ１３７は、第２反射鏡１３５と第３反射鏡１３６とを搭載し、副走査方向Ｓに往復動する。第１キャリッジ１２０及び第２キャリッジ１３７は、制御部６００によって制御される走査機構の一部をなし、光源部１１０は原稿を副走査方向に走査することができる。これにより、イメージセンサ１４１は、原稿台１７０に裁置された原稿上の２次元画像に応じてアナログ電気信号を出力し、このアナログ電気信号がＡ／Ｄ変換されて画像データが生成される。第１キャリッジ１２０は、単に走行体とも呼ばれる。
【００２０】
ＡＤＦ１６０は、複数の原稿を裁置可能で、原稿を１枚ずつ送って自動的に画像が読み取られる。原稿を自動的に搬送する原稿自動送り装置（ＡＤＦ）１６０が使用される場合には、第１キャリッジ１２０及び第２キャリッジ１３７は、予め設定されている副走査位置に固定され、原稿の自動送りによって走査が行われる。尚、ＡＤＦ１６０には、片面だけでなく両面を同時にあるいは逐次に読み取るものもある。
【００２１】
ＡＤＦ１６０は、紙送りローラ１６１と、原稿読取スリット１６２とを備えている。紙送りローラ１６１は、原稿の自動送りを行い、原稿の読み取りが原稿読取スリット１６２を介して行われる。この場合には、第１キャリッジ１２０が予め設定されている副走査位置に固定されるので、第１キャリッジ１２０に搭載されている光源部１１０も所定位置に固定されることになる。
【００２２】
このように、第１キャリッジ１２０は、初期位置としてＡＤＦ１６０の近傍に配置されている。一方、集光レンズ１３８は、ＡＤＦ１６０とは反対側の位置に配置されているイメージセンサ１４１の近傍に固定配置されている。
【００２３】
画像形成装置１０において、画像読取部１００の下方には、排紙トレイ２３０と定着ローラ３１０とが配置されている。排紙トレイ２３０は、水平方向においてＡＤＦ１６０の側に配置されている。定着ローラ３１０は、水平方向においてイメージセンサ１４１のイメージセンサ１４１側に配置されている。
【００２４】
定着ローラ３１０は、一対のローラ、すなわち、圧ローラ３１１とヒートローラ３１２とを有している。圧ローラ３１１とヒートローラ３１２とは、相互に圧力をかけて変形した状態で接することによってニップ部（図示せず）を形成している。印刷媒体Ｐは、このニップ部を通過する際に、加圧・加熱され、トナーが定着する。トナーが定着した印刷媒体Ｐは、排紙トレイ２３０に排紙される。
【００２５】
図３は、一実施形態に係る始業前結露軽減処理の内容を示すフローチャートである。始業時において、結露除去処理なしで、あるいは短時間の結露除去処理で画像形成装置１０を利用できるように予め始業前に結露を軽減する処理である。
【００２６】
ステップＳ１０では、制御部６００は、リアルタイムクロック６１０を使用して予め設定されている規定時間に到達したことを検知して起動する。規定時間は、予め設定されている始業時間（たとえば午前９時）よりも所定の時間前（たとえば３０分前）として設定される。始業時間（利用開始予定時間とも呼ばれる。）の設定は、たとえば画像形成装置１０の図示しない操作制御部（時間設定部とも呼ばれる。）を使用して行われる。
【００２７】
ステップＳ２０では、制御部６００は、スリープ時間が予め設定されている閾値ｔｈｓよりも長いか否かを判断する。これは、ある程度長いスリープ時間が経過した後でなければ結露が発生することはないからである。なお、制御部６００は、さらに、画像形成装置１０内の環境温度を計測する環境温度センサ３３０の計測値を利用し、スリープ時間中の温度低下を算出して結露の可能性を推定するようにしてもよい。この場合は、スリープ時間における最低温度を保持しておき、使用するときの温度と比較して、所定の温度差があると結露する可能性があると推定する。画像読取装置１０に電源を入れると水分を含んだ温かい空気が機内に流入し、この温かい空気の温度（使用時の温度）が画像読取部１００の光学系に触れて所定の温度差だけ低下することで結露が発生するからである。
【００２８】
ステップＳ３０では、制御部６００は、結露検出処理を実行する。結露検出処理は、たとえば以下のようにして実行することができる。画像読取部１００は、キャリブレーション処理において結露を検知することができる。具体的には、キャリブレーション処理では、画像読取部１００は、第１キャリッジ１２０を移動させて、キャリブレーション用（校正用）の白色板（図示せず）に対して光を照射して画像データを取得する。
【００２９】
制御部６００は、取得された画像データを解析する。制御部６００は、画像が過度に暗くなっている場合には、画像読取部１００の光学系に結露が発生し、水滴によって照射光が散乱しているものと判断する。このようにして、制御部６００は、結露検出処理を実行することができる。結露検出方法は、このような方法に限られず、例えば、白色板に結露検知用の細線（図示せず）を走査方向に渡って設けるようにしてもよい。こうすれば、制御部６００は、画像読取部１００の光学系に、この細線を読取らせ、この読取られた線の幅が予め設定された基準より太くなっているときには、画像読取部１００の光学系に結露が発生していると判断することができる。また、このような方法に限られず、結露検出処理はその装置に適したものを選択することができる。
【００３０】
ステップＳ４０では、制御部６００は、結露が発生していると判断した場合には、処理をステップＳ５０に進め、結露が発生していないと判断した場合には、処理をステップＳ８０に進めて、画像形成装置１０をスリープモード（スリープ状態とも呼ばれる。）に戻す。
【００３１】
図４は、一実施形態に係る画像読取部１００の結露除去時の作動状態を示す説明図である。ステップＳ５０では、制御部６００は、画像読取部１００を制御して第１キャリッジ１２０を定着ローラ３１０の上方に移動させる。第１キャリッジ１２０の移動は、走査時の速度よりも低速の移動モードで移動させて作動音を小さくする。始業時間前に、何ら操作していないのに画像形成装置１０から作動音がしたのでは、利用者に違和感を与えるからである。また、外の空気が装置内に流入すると結露する可能性があるので、機内冷却用ファン（図示せず）などは停止したままとするほうが好ましい。
【００３２】
ステップＳ６０では、制御部６００は、定着ローラ３１０の加熱を開始する。具体的には、定着ローラ３１０の定着温度として、たとえば１７０℃（下限温度）〜１９０℃（上限温度）の温度範囲が設定されていると仮定する。制御部６００は、結露の除去を目的とする加熱においては、目標温度を１９０℃（上限温度）として加熱制御を開始する。目標温度を１９０℃（上限温度）に設定するのは、敢えて定着ローラ３１０の熱効率を低下させ、すなわち定着ローラ３１０から空気への伝熱量の割合を多くするためである。通常運転では、機内の温度が上昇すると、機内冷却用ファン（図示せず）を作動させて機内冷却するものであるが、この結露除去動作中は、外の空気が装置内に流入するのを避けるために、機内冷却用ファン（図示せず）は適宜回転させないように構成してもよい。
【００３３】
この加熱制御は、たとえば周知のＰＩＤ制御やＰＩ制御といった制御方法で簡易に実現することができる。加熱制御では、定着温度センサ３２０の計測温度がフィードバック量として使用される。一方、環境温度センサ３３０の計測値は、目標温度に到達するまでに放熱される熱量の補正に利用される。制御部６００は、予め設定された時間（たとえば目標温度到達後１分）の経過後に加熱を停止する。
【００３４】
ステップＳ７０では、制御部６００は、たとえば加熱開始と同時に定着ローラ３１０の低速駆動を開始する。制御部６００は、定着ローラ３１０の圧ローラ３１１とヒートローラ３１２とを定着工程時の回転速度よりも低速で回転させる。圧ローラ３１１とヒートローラ３１２とを回転させるのは、ヒートローラ３１２の熱を圧ローラ３１１に伝達して、圧ローラ３１１から空気への放熱効果を高めるためである。低速で回転させるのは、作動音を小さくするためである。
【００３５】
なお、結露除去の方法には、光源部１１０を点灯させて光学系を直接的に暖める方法もある。しかしながら、始業時間前に、何ら操作していないのに画像形成装置１０から長時間光が漏れると、利用者に違和感を与える。よって、制御部６００は、定着ローラ３１０を低速で駆動して、利用者に違和感を与えることなく結露を除去するように構成されている。また、定着ローラ３１０の低速駆動は、加熱終了後にも継続することができる（たとえば２０分）。これにより、定着ローラ３１０の熱エネルギーを有効利用することができる。
【００３６】
これにより、画像形成装置１０では、定着ローラ３１０は、空気を加熱して上昇させることができる。加熱された空気は、相対湿度が低下しており、第１キャリッジ１２０内の光学系、イメージセンサ１４１及び集光レンズ１３８の結露を蒸発させることができる。第１キャリッジ１２０等からの水蒸気を吸収した空気は、ＡＤＦ１６０側に移動して第２キャリッジ１３７を通過した後に下降し、画像形成装置１０内で環状の循環する空気の流れを生じさせる。
【００３７】
このように、定着ローラ３１０は、画像形成装置１０において環状の循環する空気の流れを発生させ、温度が上昇して相対湿度の低い空気が連続的に集光レンズ１３８、第１キャリッジ１２０、イメージセンサ１４１及び第２キャリッジ１３７から結露を除去することができる。定着ローラ３１０は、加熱停止後も空気の加熱を継続し、始業時間まで結露除去を継続することができる。
【００３８】
従来技術では、利用者が利用しようとする際に結露の除去が実行されるので、結露除去の時間短縮化とエネルギー効率のトレードオフの問題を生じさせていた。本実施形態では、ステップＳ１０の所定の時間（たとえば３０分前）を任意に設定可能なので、結露除去のための十分に時間を使用して少ない加熱量で結露を除去することができる。
【００３９】
ステップＳ７０では、制御部６００は、画像形成装置１０をスリープモードに戻す。これにより、利用者は、結露除去処理によって長時間待機させられることなく、画像形成装置１０を利用することができる。
【００４０】
このように、本実施形態に係る画像形成装置１０は、簡易な構成で利用者の利便性の低下を抑制しつつ始業前の時間を有効活用して結露を除去することができる。
【００４１】
なお、本構成では、画像形成装置１０の電源オン時において、画像読取部１００のキャリブレーション時に改めて結露の検出処理が行われることになる。この場合、電源オン時までに、結露が十分に除去できていない場合も想定されるが、そのようなときにおいても結露除去までの時間を顕著に短縮化することができるという利点がある。
【００４２】
また、制御部６００は、始業時間（たとえば９時）に結露の検出処理を自動的に実行して、必要に応じて追加の結露除去処理を実行するように構成してもよい。
【００４３】
本発明は、上記実施形態だけでなく、以下のような変形例でも実施することができる。
【００４４】
変形例１：上記実施形態では、走行体移動（ステップＳ５０）からスリープモードに移行（ステップＳ８０）までの間においては、図示しない操作表示部において、「現在、結露除去処理中です。複写はできません。」と表示するようにしてもよい。
【００４５】
変形例２：上記実施形態では、光学系の一部としての走行体は、定着ローラの上部まで移動しているが、必ずしも定着ローラの上部まで移動させなくても近づけるだけでもよい。さらに、初期状態において走行体が定着ローラの上部に配置されている構成では、走行体を移動させる必要はなく、初期状態において走行体が定着ローラの上部から離れている構成においても、走行体の移動は、必須の構成ではない。
【００４６】
変形例３：上記実施形態では、環境温度センサの計測値は、目標温度に到達するまでに放熱される熱量の補正や結露の可能性の推定に利用されているが、たとえば定着ローラの加熱時間の決定に使用することもできる。具体的には、たとえば規定時間到達時に環境温度センサの計測値が低い場合には、定着ローラの加熱時間（たとえば目標温度到達後の加熱時間）を長くするように構成してもよい。
【００４７】
変形例４：上記実施形態では、結露の除去を目的とする加熱において、定着ローラの定着温度の上限温度を目標温度として設定しているが、定着ローラの定着温度の範囲内であればよい。ただし、制御部は、定着ローラから空気に効果的に放熱するために、定着温度の範囲の中心よりも高い温度を目標値として加熱するように制御してもよい。
【符号の説明】
【００４８】
１０  画像形成装置
１００  画像読取部
１１０  光源部
１２０  第１キャリッジ
１３１  第１反射鏡
１３５  第２反射鏡
１３６  第３反射鏡
１３７  第２キャリッジ
１３８  集光レンズ
１４１  イメージセンサ
１６０  原稿自動送り装置（ＡＤＦ）
１６１  紙送りローラ
１６２  原稿読取スリット
１７０  原稿台
２００  画像形成部
２１０  画像処理部
２２０  トナー転写部
３００  定着部
３１０  定着ローラ
３２０  定着温度センサ
３３０  環境温度センサ
３００  定着部
３１０  定着ローラ
３２０  定着温度センサ
３３０  環境温度センサ
４００  誘導加熱部
４１０  誘導ヒータ
４２０  ヒータ制御回路
５００  記憶部
【図１】
2017161611.tif 000003
【図２】
2017161611.tif 000004
【図３】
2017161611.tif 000005
【図４】
2017161611.tif 000006